(57)【要約】【課題】一方の面を裏打ちシートで覆われた、形状安定性の良好なプリーツ布を製作することができるプリーツマシンを提供する。【解決手段】加工布２の一方の面に補強紙５を重ね、加工布２と共に送り刃１１で加圧ローラ６，７に向かって供給する。加圧ローラ６，７からプリーツ１３を加熱プレス形成されて送り出される加工布２の他方の面に重なるように、接着剤付きの裏打ちシート１４を供給し、これを接着ローラ８により、加工布２の他方の面に加熱接着するようにプリーツマシン１を構成する。【選択図】図１
2007321317.tif 000002
【特許請求の範囲】
【請求項１】
加工布を送り刃により熱源を持つ加圧ローラに間欠的に送り込み、加工布にプリーツを加熱プレス成形するプリーツマシンであって、
前記加圧ローラからプリーツを加熱プレス成形されて送り出される前記加工布の一方の面に重なるように、接着剤付きの裏打ちシートが供給され、
プリーツを形成された前記加工布に前記裏打ちシートを接着するための熱源を持つ接着ローラが前記加圧ローラに接して設けられ、
前記接着ローラと加圧ローラにより、前記加工布の一方の面に裏打ちシートが加熱接着されることを特徴とするプリーツマシン。
【請求項２】
加工布と、これに重なる補強紙とを送り刃により熱源を持つ加圧ローラに間欠的に送り込み、加工布にプリーツを加熱プレス成形するプリーツマシンであって、
前記補強紙は、前記加工布の一方の面に重なるように加工布と共に送り刃に向かって供給され、
前記加圧ローラからプリーツを加熱プレス成形されて送り出される前記加工布の他方の面に重なるように、接着剤付きの裏打ちシートが供給され、
プリーツを形成された前記加工布に前記裏打ちシートを接着するための熱源を持つ接着ローラが前記加圧ローラに接して設けられ、
前記接着ローラと加圧ローラにより、前記加工布の他方の面に裏打ちシートが加熱接着されることを特徴とするプリーツマシン。
【請求項３】
加工布を送り刃により熱源を持つ加圧ローラに間欠的に送り込み、加工布にプリーツを加熱プレス成形するプリーツマシンであって、
前記加圧ローラと前記送り刃との間に、前記加工布を上下のベルト間に挟んで加圧ローラへ送るベルト搬送機が介設され、
前記送り刃は前記加工布を間欠的に前記ベルトの一端間に送り込むことによりプリーツを形成するように、前記ベルト搬送機の一端側に隣接して配置され、
前記ベルト搬送機から送り出された前記加工布の一方の面に重なるように、接着剤付きの裏打ちシートが供給され、
この裏打ちシートと、前記プリーツを形成された加工布が、前記加圧ローラ間に重ねて送り込まれ、加工布の一方の面に裏打ちシートが加熱接着されると同時に、加工布にプリーツが加熱成形されることを特徴とするプリーツマシン。
【請求項４】
加工布と、これに重なる補強紙とを送り刃により熱源を持つ加圧ローラに間欠的に送り込み、加工布にプリーツを加熱プレス成形するプリーツマシンであって、
前記補強紙は、前記加工布の一方の面に重なるように加工布と共に前記送り刃に向かって供給され、
前記加圧ローラと前記送り刃との間に、前記補強紙と加工布を上下のベルト間に挟んで加圧ローラへ送るベルト搬送機が介設され、
前記送り刃は、前記補強紙と加工布を間欠的に前記ベルトの一端間に送り込むことによりプリーツを形成するように、前記ベルト搬送機の一端側に隣接して配置され、
前記ベルト搬送機から送り出された前記加工布の他方の面に重なるように、接着剤付きの裏打ちシートが供給され、
この裏打ちシートと、前記プリーツを形成された加工布および補強紙が、前記加圧ローラ間に重ねて送り込まれ、加工布の他方の面に裏打ちシートが加熱接着されると同時に、加工布にプリーツが加熱成形されることを特徴とするプリーツマシン。
【請求項５】
プリーツが形成された加工布の一方の面に裏打ちシートが接着されてなるプリーツ布。
【発明の詳細な説明】
【技術分野】
【０００１】
この発明は、加工布にプリーツを形成するプリーツマシン、特に、一方の面を裏打ちシートで覆われたプリーツ布を製作することができるプリーツマシンと、これにより製作されるプリーツ布に関する。
【背景技術】
【０００２】
従来のプリーツマシンの一例を図４に示す。このプリーツマシンにおいては、加工布３１が送りローラ３２により送り出され、上部給紙ローラ３３から供給された上補強紙３４及び下部給紙ローラ３５から供給された下補強紙３６とに挟まれた状態で、上部加圧ローラ３７と下部加圧ローラ３８との間に供給される。上部加圧ローラ３７及び下部加圧ローラ３８はヒータを内蔵し、加工布３１を加熱及び加圧しながら間欠回転するように構成されている。下部加圧ローラ３８には補助ローラ３９が接合配置され、その補助ローラ３９と上部加圧ローラ３７には、布ベルト４０が巻回されている。上部加圧ローラ３７及び下部加圧ローラ３８の前方には上下一対の布送り刃４１が設けられていて、加圧ローラ３７，３８の間欠回転に同期して駆動機構により前後に往復移動される。布送り刃４１の前進に伴い、加工布３１にループ４２が形成され、そのループ４２が加圧ローラ３７，３８間にくわえ込まれ、加圧されて加工布３１にプリーツ４３が加工される（例えば特許文献１参照）。
【特許文献１】特開平５−１６３６６８号公報
【発明の開示】
【発明が解決しようとする課題】
【０００３】
上記従来のプリーツマシンにより製作されるプリーツ布は、高い伸縮性を有しているため、伸縮性が形状を不安定化し、壁紙、スクリーン、間仕切り、シェード等のインテリア用素材としてプリーツの形状のみを意匠として利用することの妨げになっている。プリーツ布の形状を安定化させるために、その一方の面に裏打ちシートを接着することが考えられるが、すでにプリーツ形成された布に裏打ちシートを接着することは、その形状の不安定性故に困難である。
したがって、この出願に係る発明は、一方の面を裏打ちシートで覆われた、形状安定性の良好なプリーツ布を製作することができるプリーツマシンを提供することを課題としている。
【課題を解決するための手段】
【０００４】
上記課題を解決するため、この出願に係る発明においては、加工布２を送り刃１１で加圧ローラ６，７に向かって供給する。加圧ローラ６，７からプリーツ１３を加熱プレス形成されて送り出される加工布２の一方の面に重なるように、接着剤付きの裏打ちシート１４を供給し、これを接着ローラ８により、加工布２の一方の面に加熱接着するようにプリーツマシン１を構成する。
また、この出願に係る発明においては、加工布２の一方の面に補強紙５を重ね、加工布２と共に送り刃１１で加圧ローラ６，７に向かって供給する。加圧ローラ６，７からプリーツ１３を加熱プレス形成されて送り出される加工布２の他方の面に重なるように、接着剤付きの裏打ちシート１４を供給し、これを接着ローラ８により、加工布２の他方の面に加熱接着するようにプリーツマシン１を構成する。
また、この出願に係る発明においては、送り刃１１と加圧ローラ２５，２６との間に、ベルト搬送機２２を介設し、加工布２を送り刃１１に供給し、プリーツ１３を形成された加工布２をベルト搬送機２２の上下のベルト２３間に挟んで加圧ローラ２５，２６へ送り、ベルト搬送機２２から送り出される加工布２の一方の面に重なるように、接着剤付きの裏打ちシート１４を供給し、この裏打ちシート１４と、プリーツ１３を形成された加工布２を加圧ローラ２５，２６間に送り込むことにより、加工布２の一方の面に裏打ちシート１４を加熱接着すると同時に、加工布２にプリーツ１３を加熱プレス成形するようにプリーツマシン２１を構成する。
また、この出願に係る発明においては、送り刃１１と加圧ローラ２５，２６との間に、ベルト搬送機２２を介設し、補強紙５を加工布２の一方の面に重ねて送り刃１１に供給し、プリーツ１３を形成された補強紙５と加工布２をベルト搬送機２２の上下のベルト２３間に挟んで加圧ローラ２５，２６へ送り、ベルト搬送機２２から送り出される加工布２の他方の面に重なるように、接着剤付きの裏打ちシート１４を供給し、この裏打ちシート１４と、プリーツ１３を形成された加工布２および補強紙５を加圧ローラ２５，２６間に送り込むことにより、加工布２の他方の面に裏打ちシート１４を加熱接着すると同時に、加工布２にプリーツ１３を加熱プレス成形するようにプリーツマシン２１を構成する。
さらに、この出願に係る発明は、プリーツ１３が形成された加工布２の一方の面に裏打ちシート１４が接着されてなるプリーツ布１５を提供する。
【発明の効果】
【０００５】
この出願に係る発明によれば、一方の面を裏打ちシートで覆われたプリーツ布を製作できるプリーツマシンが提供される。また、この出願に係る発明によれば、プリーツが形成された加工布の一方の面に裏打ちシートが接着されてなるプリーツ布が提供される。このプリーツ布は、形状が安定しており、プリーツ布の形状の不安定性故に適用することが困難であった、壁紙、スクリーン、間仕切り、シェード等のインテリア用素材への適用が容易で、プリーツの意匠的利用の幅を大きく拡大することができる。
【発明を実施するための最良の形態】
【０００６】
図面を参照してこの発明の実施の形態を説明する。図１はプリーツマシンの主要部の概略図、図２は他の実施形態のプリーツマシンの主要部の概略図である。
【０００７】
図１に示すプリーツマシン１においては、加工布２が送りローラ３により送り出される。この加工布２の一方の面に、給紙ローラ４から供給された補強紙５が重ねられた状態で、上部加圧ローラ６と下部加圧ローラ７との間に供給される。なお、加工布２は、織物、編み物、不織布その他、熱可塑性を持つあらゆるシート上のものを含む。
【０００８】
上部加圧ローラ６及び下部加圧ローラ７はヒータを内蔵し、加工布２を加熱及び加圧できるように構成されている。下部加圧ローラ７の後方には、接着ローラ８が接合配置され、その接着ローラ８と並ぶ補助ローラ９との間には、ベルト１０が巻回されている。接着ローラ８もヒータを内蔵し、加工布２を加熱及び加圧できる。上部加圧ローラ６及び下部加圧ローラ７の前方には上下一対の布送り刃１１が設けられていて、駆動機構により前後に往復移動される。布送り刃１１の前進に伴い、加工布２と補強紙５にループ１２が形成され、そのループ１２の折り目が加圧ローラ６，７間にくわえ込まれ、加圧されて加工布２にプリーツ１３が加工される。
【０００９】
下部加圧ローラ７とその後方の接着ローラ８との間に、上方から裏打ちシート１４が供給される。裏打ちシート１４は、プリーツ１３が加工されて送り出される加工布２の他方の面に重ねられ、加圧ローラ７と接着ローラ８で加熱・加圧されて送り出される。裏打ちシート１４には、加工布２と重ねられる面に、熱可塑性の接着剤が塗布されており、加圧ローラ７と接着ローラ８間で加熱され、加工布２の他方の面に接着される。加圧ローラ７と接着ローラ８からは、加工布２に裏打ちシート１４が接着されたプリーツ布１５として送り出される。
【００１０】
加工布２の材質が、折り曲げに対して弱い復元力しか持たないものである場合には、補強紙５は不要で、加工布２のみを送り刃１１に送ればよい。
【００１１】
プリーツ布１５は、図３に示すように、加工布２の他方の面（斜線を付した面）に裏打ちシート１４を接着してなり、一方の面にプリーツ１３の形状を持ちながら、裏打ちシート１４に補強された相応の形状安定性を有する。したがって、壁紙、スクリーン、間仕切り、シェード等のインテリア用素材への適用が容易である。
【００１２】
図２に示すプリーツマシン２１においては、加工布２が送りローラ３により送り出される。この加工布２の一方の面に、給紙ローラ４から供給された補強紙５が重ねられた状態で、ベルト搬送機２２の上下のベルト２３間に供給される。ベルト搬送機２２は、前後一対のローラ２４間にベルト２３を掛けたものを上下に接するように上下２組設けてなる。ベルト搬送機２２から送り出される加工布２と補強紙５は、上部加圧ローラ２５と下部加圧ローラ２６との間に送られる。
【００１３】
上部加圧ローラ２５及び下部加圧ローラ２６は、ヒータを内蔵し、加工布２を加熱及び加圧できるように構成されている。下部加圧ローラ２６には補助ローラ２７が接合配置され、その補助ローラ２７と上部加圧ローラ２５には、布ベルト２８が巻回されている。
【００１４】
ベルト搬送機２２の前方には、上下一対の布送り刃１１が設けられていて、駆動機構により前後に往復移動される。布送り刃１１の前進に伴い、加工布２と補強紙５にループ１２が形成され、そのループ１２の折り目がベルト搬送機２２にくわえ込まれ、加圧されてプリーツか形成された状態で加圧ローラ２５，２６に送られる。ベルト搬送機２２と加圧ローラ２５，２６の間において、ベルト搬送機２２から送り出された加工布２の他方の面に重なるように、上方から裏打ちシート１４が供給される。裏打ちシート１４は、加工布２の他方の面に重ねられ、加圧ローラ２５，２６で加熱・加圧されて送り出される。裏打ちシート１４には、加工布２と重ねられる面に、熱可塑性の接着剤が塗布されており、加圧ローラ２５，２６間で加熱され、加工布２の他方の面に接着される。したがって、加圧ローラ２５，２６からは、加工布２に裏打ちシート１４が接着され、プリーツ１３が加熱プレス成形されたプリーツ布１５が送り出される。
【００１５】
この実施形態においても、加工布２の材質が、折り曲げに対して弱い復元力しか持たないものである場合には、補強紙５は不要で、加工布２のみを送り刃１１に送ればよい。
【産業上の利用可能性】
【００１６】
この発明に係るプリーツマシンは、壁紙、スクリーン、間仕切り、シェード等のインテリア用素材への適用が容易な、形状安定性の良好なプリーツ布を製作するのに適用される。
【図面の簡単な説明】
【００１７】
【図１】本発明に係るプリーツマシンの主要部の概略図である。
【図２】本発明の他の実施形態に係るプリーツマシンの主要部の概略図である。
【図３】製作されるプリーツ布の一部の斜視図である。
【図４】従来のプリーツマシンの主要部の概略図である。
【符号の説明】
【００１８】
１      プリーツマシン
２      加工布
３      送りローラ
４      給紙ローラ
５      補強紙
６      加圧ローラ
７      加圧ローラ
８      接着ローラ
９      補助ローラ
１０    ベルト
１１    送り刃
１２    ループ
１３    プリーツ
１４    裏打ちシート
１５    プリーツ布
２１    プリーツマシン
２２    ベルト搬送機
２３    ベルト
２４    ローラ
２５    加圧ローラ
２６    加圧ローラ
２７    補助ローラ
２８    ベルト
【図１】
2007321317.tif 000003
【図２】
2007321317.tif 000004
【図３】
2007321317.tif 000005
【図４】
2007321317.tif 000006